(57)【特許請求の範囲】
【請求項１】
軒裏に形成される軒天井の取付構造であって、
軒天井は、縦断面形状が略Ｌ字状であって、軒先と建物躯体との間を横方向に渡した平板状の軒天井本体と、この軒天井本体の建物躯体側から下方に向かって延びて、軒天井本体よりも下方の建物躯体に固定可能な延設部とを備え、
延設部には、軒裏換気のために上下方向に貫通する換気口が所定間隔で複数個形成されるとともに、
延設部は、延設用締結部材により建物躯体となる壁パネルの外側表面側に固定され、
軒天井本体との間に隙間をあけた状態で壁パネルの外側表面側に胴縁を介して固定された外壁化粧材の上部で前記延設部を固定した延設用締結部材が覆い隠されるように構成され、
前記軒裏と外部とが前記換気口および軒天井本体と外壁化粧材の上部との間の隙間を介して連通されていることを特徴とする軒天井取付構造。
【請求項２】
軒裏に形成される軒天井取付構造の取付方法であって、
軒天井は、縦断面形状が略Ｌ字状であって、軒先と建物躯体との間を横方向に渡した平板状の軒天井本体と、この軒天井本体の建物躯体側から下方に向かって延びて、軒天井本体よりも下方の建物躯体に固定される延設部とを備え、
延設部には、軒裏換気のために上下方向に貫通する換気口が所定間隔で複数個形成されるとともに、
延設部は、延設用締結部材により建物躯体となる壁パネルの外側表面側に固定され、
軒天井本体との間に隙間をあけた状態で壁パネルの外側表面側に胴縁を介して固定された外壁化粧材の上部で前記延設部を固定した延設用締結部材が覆い隠されるように構成されており、
軒先の下面側に下地材を固定する工程と、
その固定した下地材の下面に、軒天井における軒天井本体の反建物躯体側の端部上面を固定する工程と、
軒天井本体の反建物躯体側の端部のみを固定した状態で、軒天井本体の建物躯体側の端部の延設部を、上下方向に移動して軒天井本体の取付位置を決定する工程と、
軒天井本体の建物躯体側の端部の延設部の取付位置を決定した後、延設部を延設用締結部材により建物躯体となる壁パネルの外側表面側に固定する工程とを備えたことを特徴とする軒天井取付構造の取付方法。
【発明の詳細な説明】
【０００１】
【発明の属する技術分野】
この発明は、現場施工における取付作業が容易で、軒裏の換気も良好な軒天井取付構造に関する。
【０００２】
【先行技術】
図３は、従来の軒天井取付構造の縦断面図を示すものである。
従来の軒天井取付構造は、軒裏に軒天井110を形成するために、この軒天井110を建物躯体140等に固定するための複数の下地材120を使用していた。具体的には、下地材120は、建物躯体140の外周表面に沿って、建物躯体140である壁パネル141や軒先170の屋根パネル171等に固定される長尺状の長尺下地材121と、建物躯体140の外方に向かって延びて長尺下地材121間を連結する短尺状の短尺下地材122とを備えていた。そして、この短尺下地材122の下面に薄板状の軒天井110を釘等の締結部材123を介して固定していた。
【０００３】
なお、外壁となる建物躯体140は、特に図示しないが、木質からなり四角枠状の枠材及びその枠内を塞ぐ面材からなる壁パネル141から形成されているものである。そして、この壁パネル141の外側表面には、横方向に沿って木質からなる長尺状の胴縁160が固定され、この胴縁160の外側にセラミック等からなり表面に凹凸模様を有する外壁化粧材150が固定されていた。
【０００４】
なお、この軒天井110に関する技術を、日本特許情報機構（ＪＡＰＩＯ）の先行技術調査（パトリス）の利用により、以下の検索式で昭和５５年以後の特許出願、実用新案登録出願を調査した。
検索式 ： Ｅ０４Ｂ０５／６０Ｃ
その結果、特許出願８０余件、実用新案登録出願１８０余件を抽出した。
その中で関連する技術としては、特開平２−３０４１５８号に記載された技術のように、軒天井を固定するために下地材を使用するもので、その下地材の固定位置を工夫したものや、特公平６−５００１３号に記載された技術のように、軒先側にのみ木質からなる下地材を利用して軒天井の一端を固定するが、建物躯体側には、軒天井の他端を挟み込むような軒天井支持具を使用するもの等がある。
【０００５】
【発明が解決しようとする課題】
しかし、上記した図３に示すものや、特開平２−３０４１５８号や、特公平６−５００１３号に示す従来の軒天井取付構造は、いずれも、下地材や軒天井支持具を固定した後に軒天井をそれらに固定するため、軒天井を固定した後、軒天井の下面が僅かに傾斜していた場合、その傾斜角度を水平に戻すためには、軒天井に加えて、下地材や軒天井支持具等を取り外さなければならず、水平のレベル調整が容易ではないという第一の問題点があった。
【０００６】
また、複数の種類の下地材を多数、組まなければならず、現場施工において、大変、手間がかかるという第二の問題点があった。
そこで、請求項１記載の発明は、上記した従来の技術の有する第一及び第二の問題点に鑑みてなされたものであり、その目的とするところは、下地材の使用数を減らすことができるとともに、軒天井の水平レベルの調整を容易にすることができて、現場施工における取付作業を簡単にすることができる軒天井取付構造を提供しようとするものである。
【０００７】
これに加え、この請求項１記載の発明は、換気口を形成したことにより、軒裏の換気を容易にすることができる軒天井取付構造を提供しようとするものである。
【０００８】
【０００９】
請求項２記載の発明は、軒天井の水平レベルの調整を容易にすることができる軒天井取付構造の取付方法を提供しようとするものである。
なお、上記の課題を解決する技術は、上述した日本特許情報機構（ＪＡＰＩＯ）の先行技術調査（パトリス）によっては、発見できなかった。
【００１０】
【課題を解決するための手段】
本発明は、上記した目的を達成するためのものである。
請求項１記載の発明は、軒裏に形成される軒天井(10)の取付構造であって、軒天井(10)は、縦断面形状が略Ｌ字状であって、軒先(70)と建物躯体(40)との間を横方向に渡した平板状の軒天井本体(20)と、この軒天井本体(20)の建物躯体(40)側から下方に向かって延びて、軒天井本体(20)よりも下方の建物躯体(40)に固定可能な延設部(30)とを備え、延設部(30)には、軒裏換気のために上下方向に貫通する換気口(34)が所定間隔で複数個形成されるとともに、延設部(30)は、延設用締結部材(48)により建物躯体(40)となる壁パネル(41)の外側表面側に固定され、軒天井本体(20)との間に隙間をあけた状態で壁パネル(41)の外側表面側に胴縁(60)を介して固定された外壁化粧材(50)の上部で前記延設部(30)を固定した延設用締結部材(48)が覆い隠されるように構成され、前記軒裏と外部とが前記換気口(34)および軒天井本体(20)と外壁化粧材(50)の上部との間の隙間を介して連通されていることを特徴とする。
【００１１】
本発明は、延設部(30)が軒天井本体(20)の建物躯体(40)側から下方に延びて、軒天井本体(20)よりも下方の建物躯体(40)に固定可能に形成されている。このため、軒天井本体(20)の軒先(70)側の端部のみを軒裏に固定した状態で、軒天井本体(20)の建物躯体(40)側の端部を上下方向に移動させて、軒天井本体(20)の水平状態を確認しながら、軒天井本体(20)の取付位置を決定することができる。そして、軒天井本体(20)の取付位置を決定した後、延設部(30)を建物躯体(40)に固定することができる。これにより、軒天井本体(20)の水平レベルの調整を容易にすることができ、現場施工における取付作業を簡単にすることができる。
【００１２】
また、軒天井本体(20)の建物躯体(40)側の端部は、直接、延設部(30)により建物躯体(40)に固定するため、軒天井本体(20)を建物躯体(40)に固定するための下地材を組む必要がない。これにより、軒天井本体(20)の取付作業に使用する部材を減少させることができるとともに、作業自体を簡単なものにすることができる。
【００１３】
【００１４】
【００１５】
また、本発明において、延設部(30)には、上下方向に貫通する換気口(34)を形成し、さらに軒天井本体(20)と外壁化粧材(50)の上部との間に隙間をあけて壁パネル(41)の外側表面側に外壁化粧材(50)を固定しているから、軒天井(10)を形成した後も、この換気口(34)および軒天井本体(20)と外壁化粧材(50)の上部との間の隙間を介して、軒裏と外部との間で、空気が自由に移動することができ、軒裏の換気を良好なものにすることができる。
【００１６】
【００１７】
【００１８】
請求項２記載の発明は、軒裏に形成される軒天井(10)の取付構造の取付方法であって、軒天井(10)は、縦断面形状が略Ｌ字状であって、軒先(70)と建物躯体(40)との間を横方向に渡した平板状の軒天井本体(20)と、この軒天井本体(20)の建物躯体(40)側から下方に向かって延びて、軒天井本体(20)よりも下方の建物躯体(40)に固定可能な延設部(30)とを備え、延設部(30)には、軒裏換気のために上下方向に貫通する換気口(34)が所定間隔で複数個形成されるとともに、延設部(30)は、延設用締結部材(48)により建物躯体(40)となる壁パネル(41)の外側表面側に固定され、軒天井本体(20)との間に隙間をあけた状態で壁パネル(41)の外側表面側に胴縁(60)を介して固定された外壁化粧材(50)の上部で前記延設部(30)を固定した延設用締結部材(48)が覆い隠されるように構成されており、軒先(70)の下面側に下地材(45)を固定する工程と、その固定した下地材(45)の下面に、軒天井(10)における軒天井本体(20)の反建物躯体(40)側の端部上面を固定する工程と、軒天井本体(20)の反建物躯体(40)側の端部のみを固定した状態で、軒天井本体(20)の建物躯体(40)側の端部の延設部(30)を、上下方向に移動して軒天井本体(20)の取付位置を決定する工程と、軒天井本体(20)の建物躯体(40)側の端部の取付位置を決定した後、延設部(30)を延設用締結部材(48)により建物躯体(40)となる壁パネル(41)の外側表面側に固定する工程とを備えたことを特徴とする。
【００１９】
本発明に係る軒天井取付構造の取付方法は、先ず、最初に軒先(70)の下面側に下地材(45)を固定する。
次に、その固定した下地材(45)の下面に、軒天井本体(20)の反建物躯体(40)側の端部上面を固定する。これにより、軒天井本体(20)の反建物躯体(40)側のみが固定され、その反対側の建物躯体(40)側の端部は自由端となる。
【００２０】
次に、軒天井本体(20)の反建物躯体(40)側の端部のみを固定した状態で、軒天井本体(20)の建物躯体(40)側の端部を、上下方向に移動して軒天井本体(20)の取付位置を決定する。
軒天井本体(20)の軒先(70)側の端部のみを固定した状態であるため、軒天井本体(20)の全体を持つ必要がなく、延設部(30)のみを上下方向に移動するだけで簡単に取付位置を決定することができる。
【００２１】
次に、軒天井本体(20)の建物躯体(40)側の端部の取付位置を決定した後、延設部(30)を延設用締結部材(48)により建物躯体(40)となる壁パネル(41)の外側表面側に固定する。その後、壁パネル(41)の外側表面に胴縁(60)を固定し、その外側表面に外壁化粧材(50)を、その上部と軒天井本体(20)との間に隙間をあけて固定する。これにより、軒天井(10)の取付作業が終了する。
【００２２】
【発明の実施の形態】
以下、本発明の実施の形態を図面に基づいて、更に詳しく説明する。
図１及び図２は、本発明の第一の実施の形態であって、図１は軒天井取付構造の縦断面図、図２は軒天井の一部外観斜視図をそれぞれ示すものである。
まず、本実施の形態の構成について説明する。
【００２３】
本実施の形態に係る軒天井取付構造は、軒裏に形成される軒天井10の取付構造である。この軒天井10は、縦断面形状が略Ｌ字状であって、締結部材46(47,48) を介して、建物躯体40及び軒先70に固定されている。具体的には、軒天井10は、軒先70と建物躯体40との間を横方向に渡した平板状の軒天井本体20と、この軒天井本体20の建物躯体40側から下方に向かって延びて、軒天井本体20よりも下方の建物躯体40に固定可能な延設部30とを備えている。
そして、前記軒天井本体20の軒先70側は、屋根パネル71の下面に固定された長尺状の木質からなる下地材45に下地用締結部材47を介して固定されている。また、延設部30は、外側から延設用締結部材48により建物躯体40に固定されている。
【００２４】
なお、外壁となる建物躯体40は、特に図示しないが、木質からなり四角枠状の枠材及びその枠内を塞ぐ面材からなる壁パネル41から形成されている。そして、この壁パネル41の外側表面には、横方向にに沿って木質からなる長尺状の胴縁60が固定され、この胴縁60の外側にセラミック等からなり表面に凹凸模様を有する外壁化粧材50が固定されている。この外壁化粧材50は、図１から明らかなように、その上部が軒天井本体20との間に隙間をあけた状態で固定され、縁設部30を建物躯体40に固定する延設用締結部材48を覆い隠すようになっている。
【００２５】
前記軒天井10の延設部30には、図２に示すように、軒裏換気のために上下方向に貫通する換気口34が所定間隔で複数個、形成されている。この換気口34は、前記軒天井本体20と外壁化粧材50の上部との間の隙間に連通し、これにより軒裏と外部とが連通して軒裏の換気が行えるのである。
次に、この軒天井取付構造の取付方法について説明する。
本実施の形態に係る軒天井取付構造の取付方法は、先ず、最初に軒先70の屋根パネル71の下面側に木質からなる長尺状の下地材45を特に図示しないがねじ等の締結部材により固定する。
【００２６】
次に、その固定した下地材45の下面に、軒天井本体20の反建物躯体40側の端部上面を下地用締結部材47を介して固定する。これにより、軒天井本体20の反建物躯体40側のみが固定され、その反対側に位置する軒天井本体20の建物躯体40側の端部は自由端となる。
次に、軒天井本体20の反建物躯体40側の端部のみを固定した状態で、軒天井本体20の建物躯体40側の端部を、上下方向に移動して軒天井本体20の取付位置を決定する。その際、軒天井本体20の軒先70側の端部のみを固定した状態であるため、取付作業者は、軒天井本体20の全体を手等で持つ必要がなく、延設部30のみを上下方向に移動するだけで簡単に取付位置を決定することができる。
【００２７】
次に、軒天井本体20の建物躯体40側の端部の取付位置を決定した後、延設部30を延設用締結部材48により建物躯体40に固定する。これにより、軒天井10が軒裏に固定された状態となる。
その後、壁パネル41の外側表面に胴縁60を固定し、その外側表面に外壁化粧材50を、その上部と軒天井本体20との間に隙間をあけて固定する。
この外壁化粧材50の上部により、延設用締結部材48は覆い隠され、外部からは見えないように隠される。これにより、軒天井取付構造の取付作業が終了する。
【００２８】
次に、上述した実施の形態の作用及び効果について説明する。
本実施の形態は、延設部30が軒天井本体20の建物躯体40側から下方に延びて、軒天井本体20よりも下方の建物躯体40に固定可能に形成されている。このため、軒天井本体20の軒先70側の端部のみを軒裏に固定した状態で、軒天井本体20の建物躯体40側の端部を上下方向に移動させて、軒天井本体20の水平状態を確認しながら、軒天井本体20の取付位置を決定することができる。そして、軒天井本体20の取付位置を決定した後、延設部30を建物躯体40に固定することができる。これにより、軒天井本体20の水平レベルの調整を容易にすることができ、現場施工における取付作業を簡単にすることができる。
【００２９】
また、軒天井本体20の建物躯体40側の端部は、直接、延設部30により建物躯体40に固定するため、軒天井本体20を建物躯体40に固定するための下地材を組む必要がない。これにより、軒天井本体20の取付作業に使用する部材を減少させることができるとともに、作業自体を簡単なものにすることができる。
また、本実施の形態において、保持部32には、上下方向に貫通する換気口34を形成している。このため、軒天井10を形成した後も、この換気口34および軒天井本体20と外壁化粧材50の上部との間の隙間を介して、軒裏と外部との間で、空気が自由に移動することができ、軒裏の換気を良好なものにすることができる。
【００３０】
【００３１】
【００３２】
【００３３】
【００３４】
【００３５】
【００３６】
【００３７】
【００３８】
【００３９】
【発明の効果】
本発明は、以上のように構成されているので、以下に記載されるような効果を奏する。
請求項１記載の発明によれば、下地材の使用数を減らすことができるとともに、軒天井の水平レベルの調整を容易にすることができて、現場施工における取付作業を簡単にすることができる軒天取付構造を提供することができる。
【００４０】
また、この請求項１記載の発明によれば、延設部に換気口を形成したことにより、この換気口および軒天井本体と外壁化粧材の上部との間の隙間を介して、軒裏の換気を容易にすることができる軒天井取付構造を提供することができる。
【００４１】
請求項２記載の発明によれば、軒天井の水平レベルの調整を容易にすることができる軒天井取付構造の取付方法を提供することができる。
【図面の簡単な説明】
【図１】  本発明の第一の実施の形態であって、軒天井取付構造を示す縦断面図である。
【図２】  本発明の第一の実施の形態であって、軒天井を示す一部外観斜視図である。
【図３】  従来の軒天井取付構造を示す縦断面図である。
【符号の説明】
10…軒天井、20…軒天井本体、21…差し込み溝、30…延設部、34…換気口、40…建物躯体、41…壁パネル、45…下地材、46…締結部材、47…下地用締結部材、48…延設用締結部材、50…外壁化粧材、60…胴縁、70…軒先、71…屋根パネル、110…軒天井、120…下地材、121…長尺下地材、122…短尺下地材、123…締結部材、140…建物躯体、141…壁パネル、150…外壁化粧材、160…胴縁、170…軒先、171…屋根パネル。
【図１】
0004099605.tif 000002
【図２】
0004099605.tif 000003
【図３】
0004099605.tif 000004